(57)【要約】【課題】塗料の流動方向を特定し、塗料の流動速度を上げ、塗膜の厚さを均等にする管内面の塗装方法及びこの方法により内面を塗装した管を提供する。【解決手段】液状塗料１０を管１内面に塗布する塗装方法であって、前記管１内面に前記塗料１０が流動するための溝５を複数形成する工程と、前記管１内面に前記塗料１０を塗布する工程と、塗布した前記塗料１０を前記溝５に流動させる工程と、を含む。これにより、塗料の流動方向を特定することができる。また、塗料の流動速度を上げ、塗装時間を短縮することができる。さらに、塗膜の厚さを均等にすることができる。【選択図】図３
2016068011.tif 000002
【特許請求の範囲】
【請求項１】
液状塗料を管内面に塗布する塗装方法であって、
前記管内面に前記塗料が流動するための溝を複数形成する工程と、
前記管内面に前記塗料を塗布する工程と、
塗布した前記塗料を前記溝に流動させる工程と、
を含む塗装方法。
【請求項２】
前記溝が前記管の長手方向と平行に形成されていることを特徴とする請求項１記載の塗装方法。
【請求項３】
前記溝が断面Ｖ字状のＶ溝からなることを特徴とする請求項１又は２に記載の塗装方法。
【請求項４】
前記塗料を前記溝に流動させる工程が、前記塗料を自重により流下させるものであることを特徴とする請求項１〜３のいずれか１項に記載の塗装方法。
【請求項５】
請求項１〜４のいずれか１項に記載の塗装方法により塗装された管。
【発明の詳細な説明】
【技術分野】
【０００１】
本発明は、管内面の塗装方法及び当該方法により塗装した管に関するものである。
【背景技術】
【０００２】
従来、マンション等の竪樋、水道管、給水管、排水管等の管内面には腐食防止のため、ライニングが施されている。このライニングのうち、液状塗料を用いた塗装方法としては、流し塗り（特許文献１）や、スプレー塗り（特許文献２）等が知られている。
【０００３】
特許文献１に開示された管内面への塗膜形成方法は、管一端から管内に乾燥硬化性の液状材料を注入し、管一端を上側に向けて管を垂直状態に起立させる。そして、液状材料を流下させて管内の余剰液状塗料を下側に向けた管他端から流出させ、管内面の付着液状材料を乾燥硬化させるものである。
【０００４】
また、特許文献２に開示されたスプレーガン装置を用いたスプレー塗りは、スプレー装置を管内で移動させながら、移動方向とは反対側の管内面にスプレーチップから塗料を噴霧して管内面に塗装を施すものである。
【先行技術文献】
【特許文献】
【０００５】
【特許文献１】特開平６−７９２３４号公報
【特許文献２】特開２００１−３００３６８号公報
【発明の概要】
【発明が解決しようとする課題】
【０００６】
しかしながら、特許文献１に開示された方法を用いた場合、液状材料の流動方向を調整することができないため、液状材料の注入量が少ないと液状材料の付着ムラが発生し、管内面全体に塗膜を形成することができない虞がある。また、液状材料の付着ムラが発生しないように、管内に注入する液状材料の量を増加させると、余分な液状材料が管外へ流出するまでに時間がかかってしまう。
【０００７】
一方、特許文献２に開示された方法を用いた場合、塗料の付着ムラが発生する可能性は低いと考えられるが、特殊なスプレーガン装置が必要となり塗装作業が大掛かりなものとなってしまう。
【０００８】
そこで本発明は、管内面の塗装において容易な塗装作業により塗料の付着ムラの発生を防止し、且つ、塗装時間を短縮することを可能とする管内面の塗装方法及び当該方法により塗装した管を提供することを目的とする。
【課題を解決するための手段】
【０００９】
本発明の請求項１に記載の塗装方法は、液状塗料を管内面に塗装する塗装方法であって、管内面に塗料が流動するための溝を複数形成する工程と、管内面に塗料を塗布する工程と、塗布した塗料を溝に流動させる工程と、を含むものである。
【００１０】
また、本発明の請求項２に記載の塗装方法は、請求項１において、溝が管の長手方向と平行に形成されているものである。
【００１１】
また、本発明の請求項３に記載の塗装方法は、請求項１又は２において、溝が断面Ｖ字状のＶ溝からなるものである。
【００１２】
また、本発明の請求項４に記載の塗装方法は、請求項１〜３において、塗料を溝に流動させる工程が、塗料を自重により流下させるものである。
【００１３】
また、本発明の請求項５に記載の管は、請求項１〜４に記載された塗装方法により塗装された管である。
【発明の効果】
【００１４】
請求項１の発明によれば、大掛かりな塗料の塗布装置を必要とせず、管内面に塗料の付着ムラのない塗装を行うことができる。
【００１５】
また、請求項２の発明によれば、管を垂直に起立させることにより、溝内に塗料を流動させることができる。
【００１６】
また、請求項３の発明によれば、塗料が溝内を流動する速度を速めることができる。
【００１７】
また、請求項４の発明によれば、管内面への塗料の塗布作業を短縮することができる。
【００１８】
また、請求項５の発明によれば、管内面に均一な塗装を施した管を提供することができる。
【図面の簡単な説明】
【００１９】
【図１】本発明の実施例１を示す、塗装前の管の斜視図である。
【図２】同、塗装前の管の平面図である。
【図３】同、塗料塗布の方法を示す斜視図である。
【図４】同、塗装前の管の溝を示す断面図である。
【図５】同、塗装後の管の溝を示す断面図である。
【図６】本発明の実施例２を示す、塗装後の管の溝を示す断面図である。
【図７】本発明の実施例３を示す、塗装後の管の溝を示す断面図である。
【発明を実施するための形態】
【００２０】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２１】
図１〜図３において、１は本発明の第１実施例における管としての竪樋を示し、さらに、竪樋１の本体２は、長手方向、つまり軸芯方向の両端をそれぞれ開放させた第１開口部３及び第２開口部４を備えた中空円筒形状を有しており、アルミニウム、ステンレス、銅、ガルバニウム鋼板等の金属材料や、硬質塩化ビニル樹脂等の合成樹脂材料が材料として用いられる。内部の中空部分は雨水等が流れるようになっている。
【００２２】
本実施例において、竪樋１の長手方向の長さは４ｍであって、外径φは５０〜１７０ｍｍに形成されている。しかしながら、長さや外径はこれらの範囲外であっても適宜変更可能である。また、竪樋１の形状は、円筒状に限られず角柱状等であってもよく、直線状の直管でなく曲部等を有する異形管であってもよい。
【００２３】
本体２の内面全体には、長手方向と平行に複数の溝５が形成されている。本実施例においては、溝５は本体２と共に押出成形によって形成される。また、溝５は図２に示すように山部６と谷部７とが交互に配列されることにより形成され、断面視Ｖ字形状のＶ溝となっている。なお、溝５は転造や切削等の方法により形成してもよい。
【００２４】
本体２の内面に複数形成された山部６は、全て同じ形状に形成されるため、山部６の頂点部８の角度Ｔと谷部７の底部９の角度Ｂは等しく形成される。
【００２５】
本実施例において、隣接する頂点部８，８の距離Ｗは２ｍｍ、谷部７の底部９から頂点部８までの高さＨは０．５ｍｍに形成されている。溝５の形状は、距離Ｗと高さＨによって決定してもよく、角度Ｔ，Ｂによって決定してもよい。角度Ｔ，Ｂは略９０°に設定するのが好ましいが、使用する塗料１０の種類により適宜変更可能であり、例えば、粘度の低い塗料１０を使用する場合には、塗料１０の流動速度が速いため角度Ｂを大きくし、粘度の高い塗料１0を使用する場合には、塗料１０の流動速度が遅いため角度Ｂを小さくして流動速度を上げるようにしてもよい。
【００２６】
次に、本体２の内面への塗装手順について説明する。本実施例では、塗料１０として、本剤（主剤）と硬化剤とを混合した二液性エポキシ樹脂塗料を使用する。また、塗料１０は、圧縮した空気の圧力によって塗料１０を霧状に噴射するエアスプレーガン１１を使用して塗布される。
【００２７】
塗料１０は、エアスプレーガン１１を使用して本体２の内面に塗布される際、図３に示すように第１開口部３を上側、第２開口部４を下側にして竪樋１を傾斜させ、第１開口部３付近の本体２内面に塗料を吹き付けながら、竪樋１を矢印の方向に回転させることにより、本体２の内面全周に塗料１０を塗布することができる。塗料１０は、第１開口部３から第２開口部４の方向に向かって一定の範囲に万遍なく塗布する。その後、竪樋１を第２開口部４が下側になるように垂直に起立させ、塗料１０を下方に流動させ、本体２内面の第２開口部４側の塗料１０が塗布されていない範囲に塗装を施す。したがって、エアスプレーガン１１により塗布する塗料１０の塗布量は、竪樋１の長さや直径により、本体２の内面全体に塗装が施される必要十分な量とする必要がある。なお、塗料１０の塗布量が必要以上に多くなっても、余剰塗料１０は第２開口部４より竪樋１外へ排出されるため、塗膜の厚さに影響はない。
【００２８】
塗料１０は、竪樋１を垂直に起立させた状態で固定し、上側に配置した第１開口部３側からエアスプレーガン１１を動かして本体２の内面全周に塗布し、流下させてもよい。
【００２９】
塗料１０の塗布時に竪樋１を傾斜させている状態及び竪樋１を垂直に起立させている状態で塗料１０を流下させた場合には、溝５内に塗布された塗料１０は溝５内を下方に向かって流動する。一方、山部６の頂点部８に塗布された塗料１０は、一定量が頂点部８上を下方に向かって流動し、一定量以上の塗料１０が塗布された場合には、余剰塗料１０は溝５内に流れ込み、溝５内を下方に向かって流動する。したがって、溝５内及び頂点部８には一定量の塗料１０が付着し、塗膜の厚さを一定とすることができる。
【００３０】
ここで、本体２内面に溝５を形成して、塗料１０を溝５内で流動させる効果について説明する。本体２の内面に溝５を形成しない場合には、塗料１０の流動範囲が限定されず、塗料は重力にしたがって本体２の内面を下方に流動すると共に、本体２の円周方向へ拡散しながら自由に流動するため塗料１０の流動方向を制御できない。これに対して、溝５を形成した場合には、溝５を形成する傾斜壁１２によって本体２の円周方向への塗料１０の流動が規制されるため、塗料１０は重力に従って溝５内及び頂点部８を下方に向かって流動する。すなわち、塗料１０の流動方向を竪樋１の長手方向に制御することができる。このように、塗料１０の流動方向を制御することで、全ての溝５及び頂点部８において塗料１０を直線状に流下させて本体２内面へ塗料１０を均一に塗装することができる。
【００３１】
本実施例で使用する塗料１０は液状塗料であるため、塗料１０が溝５の形成されていない円管内面を流動する場合には、左右方向に拡散しながら下方に流動するため、下方に向かう流動速度は遅くなってしまう。これに対して、断面視Ｖ字状の溝５を流動する場合には、塗料１０は傾斜壁１２によって左右方向への拡散が規制されて溝５内に集中するため、下方に向かう流動速度が速くなる。このように、本体２内面に溝５を形成することにより、塗料１０の流動速度を上げて塗装時間を短縮することができる。
【００３２】
このように本実施例では、液状塗料１０を管としての竪樋１内面に塗布する塗装方法であって、前記竪樋１内面に前記塗料１０が流動するための溝５を複数形成する工程と、前記竪樋１内面に前記塗料１０を塗布する工程と、塗布した前記塗料１０を前記溝５に流動させる工程と、を含むので、塗料１０の流動方向を制御でき、本体２内面に均一な塗装を容易に施すことができる。また、塗料１０の大部分が溝５内を流動するため、塗料１０の流動速度を上げることができ、塗装作業時間を短縮することができる。また、塗料１０を直接塗布していない部分については、塗料１０にかかる重力により塗装を施すことができるため、作業者の塗装作業時間を短縮することができる。
【００３３】
また、前記溝５が前記竪樋１の長手方向と平行に形成されているため、竪樋１を傾斜させ、又は垂直に起立させることにより、塗料１０が下方に流下して本体２内面に塗装を施すことができる。
【００３４】
また、前記溝５が断面Ｖ字状のＶ溝からなるため、塗料１０の流動速度を上げて、塗装作業時間を短縮することができる。
【００３５】
また、前記塗料１０を前記溝５に流動させる工程が、前記塗料１０の自重により前記塗料１０を流下させるものであるため、本体２内面への塗料１０の塗布時間を短縮することができると共に、塗料１０を塗布していない部分については、塗料１０が自重で流下して塗装が施されるため、作業者による塗装作業が不要となる。
【００３６】
また、請求項１〜４に記載の塗装方法により塗装された竪樋１は、本体２の内面が均一に塗装され、高い腐食防止効果を得ることができる。
【実施例２】
【００３７】
図６は、本発明の実施例２を示し、上記実施例１と同一部分には同一符号を付し、その詳細な説明を省略して説明する。本実施例は、溝５の形状を断面視円弧状のＵ溝としたものである。
【００３８】
本実施例の場合、底部９Ａが断面視円弧状に形成されているため、実施例１の場合と比較して底部９Ａが平面に近いため、溝５内の塗膜の厚さをより均一にすることができる。
【００３９】
また、頂点部８Ａは、実施例１と比較して角度Ｔが鋭角となるため、余剰の塗料１０が溝５に流動し易くなっている。また、溝５に流れ込む流動速度も上がるため、塗装時間を短縮することができる。なお、本実施例では、頂点部８Ａは鋭角をなしているが、断面視円弧状としてもよい。
【実施例３】
【００４０】
図７は、本発明の実施例３を示し、上記実施例１と同一部分には同一符号を付し、その詳細な説明を省略して説明する。本実施例は、頂点部８Ｂ及び底部９Ｂの形状を断面視円弧状に形成したものである。
【００４１】
本実施例の場合、頂点部８Ｂと底部９Ｂが滑らかに連続するため、本体２の内面に形成された溝５が全て滑らかに連続している。これにより、本体２内面全体の塗膜の厚さをより均一にすることができる。
【００４２】
なお、本発明は以上の実施例に限定されるものではなく、発明の要旨の範囲内で種々の変形実施が可能である。例えば、溝の形状は２方向からクロスするようにしたクロス目状としてもよい。
【符号の説明】
【００４３】
１  竪樋（管）
５  溝（Ｖ溝）
１０  塗料
【図１】
2016068011.tif 000003
【図２】
2016068011.tif 000004
【図３】
2016068011.tif 000005
【図４】
2016068011.tif 000006
【図５】
2016068011.tif 000007
【図６】
2016068011.tif 000008
【図７】
2016068011.tif 000009